(57)【要約】【課題】複数無線機を備える無線通信システムにおいて、各無線機の通信条件を遠隔操作で設定可能とする。【解決手段】通信条件セレクトスイッチ５およびタッチパネル４で通信条件の設定を受付ける。モード制御部８および伝送フォーマット生成部９は、ＲＦ部１４を介して通信相手先に受付けた通信条件を送信する。その後、伝送信号判別部１０は、通信相手先からの通信条件の返信を受信し、受信した通信条件と送信した通信条件とを比較する。比較の結果、通信条件が一致した場合にこの通信条件にＲＦ部１４の設定を切換える。【選択図】　図２
2004040212.tif 000002
【特許請求の範囲】
【請求項１】
複数種類の通信条件のうち設定された通信条件に従って通信を行う無線機において、
前記通信条件の設定を受付ける受付け手段と、
前記受付けた通信条件を記憶する記憶手段と、
前記記憶手段に記憶する前記通信条件を通信相手先に送信する送信手段と、
前記通信相手先からの通信条件の返信を受信する受信手段と、
前記受信手段で受信した通信条件と前記記憶手段に記憶する通信条件とを比較する比較手段と、
前記比較手段の比較の結果、前記受信手段で受信した通信条件と前記記憶手段に記憶する通信条件とが一致した場合に当該通信条件に切換えて通信を行う切換手段とを備えることを特徴とする無線機。
【請求項２】
複数種類の通信条件のうち設定された通信条件に従って通信を行う無線機において、
他の無線機から送信された通信条件を受信する通信条件受信手段と、
当該通信条件受信手段で受信した通信条件を返信する返信手段と、
前記他の無線機からの通信条件の切換指示を受信する切換指示受信手段と、
前記切換指示受信手段で通信条件の切換指示を受信したときに、前記通信条件受信手段で受信した通信条件に切換えて通信を行う切換手段とを備えることを特徴とする無線機。
【請求項３】
複数種類の通信条件のうち設定された通信条件に従って通信を行う無線機において、
当該無線機がマスター無線機であるかスレーブ無線機であるかの登録を行う登録手段と、
前記登録手段に当該無線機がマスター無線機と登録されたときに稼動するマスター無線部と、前記登録手段に当該無線機がスレーブ無線機と登録されたときに稼動するスレーブ無線部とを有し、
前記マスター無線部は、前記通信条件の設定を受付ける受付け手段と、前記受付けた通信条件を記憶する記憶手段と、前記記憶手段に記憶する前記通信条件を通信相手先に送信する送信手段と、前記通信相手先からの通信条件の返信を受信する受信手段と、前記受信手段で受信した通信条件と前記記憶手段に記憶する通信条件とを比較する比較手段と、前記比較手段の比較の結果、前記受信手段で受信した通信条件と前記記憶手段に記憶する通信条件とが一致した場合に当該通信条件に切換えて通信を行う切換手段とを備え、
前記スレーブ無線部は、他の無線機から送信された通信条件を受信する通信条件受信手段と、当該通信条件受信手段で受信した通信条件を返信する返信手段と、前記他の無線機からの通信条件の切換指示を受信する切換指示受信手段と、前記切換指示受信手段で通信条件の切換指示を受信したときに、前記通信条件受信手段で受信した通信条件に切換えて通信を行う切換手段とを備えることを特徴とする無線機。
【請求項４】
請求項１、２または３に記載の無線機において、
前記通信条件は、周波数帯域を示すチャンネル情報と、暗号化方式を示す通信モード情報と、変調方式を示す変調情報と、通信速度を示すデータレート情報と、送信電力値を示す送信電力情報とのうち少なくとも１つであることを特徴とする無線機。
【発明の詳細な説明】
【０００１】
【発明の属する技術分野】
本発明は、１つの無線機がマスター無線機となり、対向する１つもしくは複数の無線機がスレーブ無線機となる通信形態で構成される技術に関し、特に遠隔操作が可能な技術に関する。
【０００２】
【従来の技術】
従来、１つの無線機がマスター無線機となり、このマスター無線機に対向する１つもしくは複数の無線機がスレーブ無線機となる無線通信システムが構築されている。この通信システムにおいて、オペレータがマスター無線機およびスレーブ無線機のチャネル、通信モード、変調方式及びデータレートなどの通信条件を設定する場合には、各無線機に装備されているタッチパネルやロータリースイッチ等から直接通信条件を入力して設定している。また、通信条件を変更する際も、オペレータが複数の無線機の各々に通信条件を直接入力し、設定及び切換を行っている。
【０００３】
【発明が解決しようとする課題】
しかしながら、上述した無線通信システムにおいては、無線機の通信条件の設定及び切換は、全ての無線機のタッチパネルやロータリースイッチ等によりそれぞれマニュアル設定で行っているため、設定ミスなどのヒューマンエラーを引き起こす場合がある。
【０００４】
また、一旦通信確立しても通信条件変更時には、複数のスレーブ無線機の各々を人手により設定しているため、スレーブ無線機の設置場所を無人化できないということがある。
【０００５】
そこで、本発明は、オペレータが複数の無線機各々に通信条件を直接入力しなくても、複数の無線機各々に通信条件を設定可能とする技術を提供することを目的とする。
【０００６】
【課題を解決するための手段】
上記課題を解決するため本発明は、複数の無線機各々の通信条件を遠隔操作で設定可能とする。例えば、本発明の無線機は、複数種類の通信条件のうち設定された通信条件に従って通信を行う。そして、前記通信条件の設定を受付ける受付け手段と、前記受付けた通信条件を記憶する記憶手段と、前記記憶手段に記憶する前記通信条件を通信相手先に送信する送信手段と、前記通信相手先からの通信条件の返信を受信する受信手段と、前記受信手段で受信した通信条件と前記記憶手段に記憶する通信条件とを比較する比較手段と、前記比較手段の比較の結果、前記受信手段で受信した通信条件と前記記憶手段に記憶する通信条件とが一致した場合に当該通信条件に切換える切換手段とを備える。
【０００７】
【発明の実施の形態】
以下、図面を参照して、本発明の実施の形態について説明する。
【０００８】
図１に、本発明の実施の形態におけるマスター無線機および複数のスレーブ無線機による通信システムの構成図を示す。図１は、１つの無線機がマスター無線機１となり、対向する１つもしくは複数の無線機がスレーブ無線機となる通信形態で構成される無線通信システムを示している。図１において、無線通信システムは、無線通信を行うマスター無線機１とスレーブ無線機群１７とを備える。
スレーブ無線機群１７は、複数のスレーブ無線機１７１〜１７４を備える。マスター無線機１は、他のスレーブ無線機１７１〜１７４に対して遠隔操作により通信条件を設定することができる。スレーブ無線機１７１〜１７４の各々は、マスター無線機１や他のスレーブ無線機と無線通信を行うことができ、マスター無線機１から設定された通信条件を記憶する。
【０００９】
図２に、本発明の実施の形態におけるマスター無線機１の構成図を示す。図２において、マスター無線機１は、記憶装置３を接続させるためのインタフェース部２と、入力を受付ける入力部のタッチパネル４と、通信条件を選択するための通信条件セレクトスイッチ５と、ソフトウエアをロードさせるロードスイッチ６と、入力を制御するための入力制御部７と、モードを制御するためのモード制御部８と、他の無線機と通信するための伝送フォーマットを生成する伝送フォーマット生成部９と、伝送信号に含まれる宛先を判別する伝送信号判別部１０と、制御手段であるＣＰＵ１１と、スレーブ無線機１７１〜１７４に指示するための通信条件を記憶する切換用通信条件記憶部１２と、スレーブ無線機１７１〜１７４に送信した通信条件と返信された通信条件とが一致するか否かを判断する整合部１３と、無線信号の送受信を行うＲＦ部１４と、通信条件等を表示する表示部であるディスプレイ１５と、無線データの入出力を行う入出力部２０と、電波を送受信するアンテナ２１と、を備える。
【００１０】
記憶装置３は、マスター無線機１に接続され、フレキシブルディスクやＣＤ−ＲＯＭ等の着脱可能な記憶媒体が装着される装置である。記憶媒体は、実行プログラムなどのソフトウエアや通信条件のデフォルト値を記憶する。また、マスター無線機１の内部に、ハードディスクなどの記憶手段を備えるようにしてもよい。
【００１１】
マスター無線機１のハードウェア構成は、データ入出力インタフェースを備える無線機と、ＣＰＵやメモリなどを備える情報処理装置とにより構成される。図２において、マスター無線機１は、通常、入出力部２０から入力したデータを設定された通信条件にしたがってＲＦ部１４で変調し、変調した無線データをアンテナ２１から送出し、また、スレーブ無線機１７１〜１７４から受信した無線データをＲＦ部１４で復調し、復調されたデータを入出力部２０から送信する。なお、各スレーブ無線機１７１〜１７４の構成もマスター無線機１の構成と同様な構成をとる。この場合、あらかじめ、無線機がマスター無線機であるかスレーブ無線機であるかの登録をタッチパネル４を介してモード制御部８に行う。モード制御部では、その登録にしたがって、マスター無線機と登録された場合には、マスター無線機として動作し、スレーブ無線機と登録された場合にはスレーブ無線機として動作する。
【００１２】
本実施の形態において、マスター無線機１は、通信条件セレクトスイッチ５でユーザ（オペレータ）による通信条件設定の指示を受付けると、他のスレーブ無線機１７１〜１７４に対して無線により通信条件を設定する。通信条件としては、例えば、周波数帯域を示すチャンネル、暗号化方式を示す通信モード、変調方式、通信速度を示すデータレート、送信電力などがある。チャンネルは、例えば、３０ＭＨｚ〜９０ＭＨｚの帯域のうち予め複数種のチャンネルを設定しておき、いずれかのチャンネルが選択されるようにしてもよいし、周波数帯域を数値で受付けてもよい。通信モードは、通信時に暗号化をするか否かもしくは複数種の暗号化方式を備える場合には、使用する暗号化方式を選択されるようにしてもよい。変調方式は、ＡＭ変調、ＦＭ変調などの複数の変調方式を備える場合には、使用する変調方式の選択を受付ける。データレートは、例えば、１．２ｋｂｐｓ〜９．８ｋｂｐｓのうち予め複数種のデータレートを設定しておき、いずれかのデータレートが選択されるようにしても良いし、データレートを数値で受付けてもよい。送信電力は、例えば、１Ｗ、１０Ｗ、５０Ｗのように複数の送信電力のうちいずれかの選択するようにしてもよいし、送信電力値を直接受付けてもよい。ＲＦ部１４は、これらのチャンネル、通信モード、変調方式、データレートおよび送信電力を通信条件に従ってそれぞれ変更できる構成を備える。
【００１３】
これらの通信条件は、図２に示す通信条件セレクトスイッチ５とタッチパネル４とでユーザの指示により設定される。また、記憶装置３に通信条件をデフォルト値として予め記憶しておいてもよい。また、マスター無線機１とスレーブ無線機１７１〜１７４とには、通信条件をそれぞれ設定することができる。通信条件セレクトスイッチ５は、スイッチポジションにより設定する内容を選択できる。ポジション５１に設定されると、記憶装置３に予め記憶しているマスター無線機１のデフォルト値（基準通信条件）をモード制御部８に読み出す。ポジション５２に設定されると、タッチパネル４よりマスター無線機１の通信条件の設定を受付け、モード制御部８に通信条件を設定する。ポジション５３に設定されると、スレーブ無線機１７１〜１７４に設定すべき通信条件を読み出し、読み出した通信条件を切換用通信条件記憶部１２に記憶させる。ポジション５４に設定されると、タッチパネル４よりスレーブ無線機１７１〜１７４の通信条件の設定を受付ける。ポジション５５に設定され、ロードスイッチ６が押下されると、スレーブ無線機１７１〜１７４に対して設定された通信条件を配信するように指示する。ポジション５６に設定されると、マスター無線機１とスレーブ無線機１７１〜１７４とに新たに設定された通信条件に切換るように指示する。ポジション５７に設定されると、配信のときに、エラーが起きた場合などにスレーブ無線機１７１〜１７４に対して通信条件を再送するように指示する。
【００１４】
マスター無線機１の外観図を図５に示す。図５において、通信条件セレクトスイッチ５は、ロータリースイッチにより構成され、矢印の示すポジションに設定されたときに前述の内容を設定する。また、通信条件セレクトスイッチ５は、スタンバイポジションにあるときには、通常の無線通信を行い、ＯＦＦポジションにあるときには、マスター無線記の電源をＯＦＦにする。タッチパネル４は、０〜９のテンキー５０２と、複数のファンクションキー５０３と、ロードスイッチ６とを備える。タッチパネルは、キーボードなどで構成してもよい。ファンクションキー５０３は、予め定めたメニューを表示させるためのメニューキーと、通信条件の周波数帯域を設定するための周波数キーと、現在時刻を設定する時間キーと、設定した内容を取り消すためのクリアキーと、設定した内容を実行させるためのエンターキーとを備える。ディスプレイ１５は、表示部であり、入力した内容やメニュー等を表示する。例えば、通信条件セレクトスイッチ５がポジション５２に設定された場合、ディスプレイ１５には、受付けるべき通信条件のチャンネル、暗号化方式、変調方式、データレート、送信電力の選択肢が表示される。また、ディスプレイ１５には、各通信条件の数値が受付け可能であることを示すために通信条件ごとに空欄を表示させてもよい。
つぎに、マスター無線機１が複数スレーブ無線機１７に対して通信条件を設定する処理を、図２、図３、図４および図５を参照して説明する。図３は、図２における伝送フォーマット生成部９において生成されるデータフォーマット例を示している。図４は、マスター無線機１が複数スレーブ無線機に通信条件を設定する場合の処理のフローチャート図を示している。
【００１５】
図４において、図２および図５に示す通信条件セレクトスイッチ５がユーザによりポジション５１に設定され、ロードスイッチ６が押下されると、記憶装置３に記憶されているマスター無線機１の基準通信条件の設定であるとして、入力制御部７はＣＰＵ１１に割込み要求し、ＣＰＵ１１は、割り込み要求があると予め記憶装置３に記憶されている基準通信条件の各情報をモード制御部８へ転送し、モード制御部８は、マスター無線機１の基準通信条件を内部に備えるメモリに設定するとともに、ＲＦ部１４に対して基準通信条件として予め定められているチャンネル、通信モード、変調方式、データレートおよび送信電力をそれぞれ設定する。（ステップ１１１）。
【００１６】
また、通信条件セレクトスイッチ５がポジション５２に設定された場合には、ＣＰＵ１１は、ディスプレイ１５に図５に示すような通信条件受付け画面を表示させ、タッチパネル４で直接通信条件の入力を受付ける。通信条件の受付け後、ロードスイッチ６が押下されたときに、入力制御部７はＣＰＵ１１に割込み要求し、ＣＰＵ１１は、割り込み要求があるとタッチパネル４で受付けた通信条件の情報をモード制御部８へ転送し、モード制御部８はその情報に従いＲＦ部１４の通信条件を設定する。マスター無線機１およびスレーブ無線機１７１〜１７４各々の通信条件の設定は、通信条件セレクトスイッチ５およびロードスイッチ６の指示を受付けなくても、電源立上げ時に記憶装置に記憶するデフォルト値をロードするようにしておいてもよい。また、複数スレーブ無線機１７１〜１７４の各々に異なる通信条件を設定してもよい。
【００１７】
つぎに、ユーザにより通信条件セレクトスイッチ５がポジション５３に設定され、ロードスイッチ６が押下されると、複数スレーブ無線機１７１〜１７４の通信条件の切換え受付けであると判断する（ステップ１１２）。入力制御部７はＣＰＵ１１に割込み要求し、ＣＰＵ１１は、割り込み要求があると予め記憶装置３に記憶されている通信条件の情報を切換用通信条件記憶部１２へ転送する。
【００１８】
また、通信条件セレクトスイッチ５がポジション５４に設定された場合には、ＣＰＵ１１は、ディスプレイ１５に図５に示すような通信条件受付け画面を表示させ、タッチパネル４で切換用通信条件の入力を受付ける。タッチパネル４で直接通信条件を受付け後、ロードスイッチ６が押下されたときに、入力制御部７はＣＰＵ１１に割込み要求し、ＣＰＵ１１は、割り込み要求があるとタッチパネル４で受付けた通信条件の情報を切換用通信条件記憶部１２へ転送する。
【００１９】
切換用通信条件記憶部１２は、ステップ１１２において転送された通信要件の情報を記憶する（ステップ１１３）。
【００２０】
つぎに、ユーザにより通信条件セレクトスイッチ５がポジション５５に設定され、ロードスイッチ６が押下されると、入力制御部７はＣＰＵ１１に割込み要求し、ＣＰＵ１１は、割り込み要求があると、切換用通信条件記憶部１２に記憶されている通信条件の情報を伝送フォーマット生成部９に転送し、整合部１３に通信条件の情報を格納する。
【００２１】
伝送フォーマット生成部９では、通信条件の情報を伝送フォーマットにしたがってデータを生成し、ＲＦ部１４を介し複数スレーブ無線機１７１〜１７４に対して生成したデータを転送させる（ステップ１１３５）。図３に、伝送フォーマット生成部９で生成されるデータの伝送フォーマットを示す。図３において、生成されるデータは、同期信号９１と、宛先アドレス９２と、送信元アドレス９３と、データ部９４と、送受信用データ９５とを備える。同期信号９１には、マスター無線機１と複数のスレーブ無線機１７１〜１７４で同期を取るための予め定めた同期信号を格納する。宛先アドレス９２は、無線機が通信を行う相手先無線機の予め定めたアドレスを格納する。送信元アドレス９３では、自己の無線機のアドレスを格納する。データ種９４は、データの種別を指定する。データ種類としては、通常データ９４１と、通信条件情報９４２と、通信条件切換えの返信情報９４３と、通信条件切換え命令９４４とがある。データ種９４が通常データ９４１の場合、データ９５の領域に通常データ９５１を格納できる。また、例えば、通信条件セレクトスイッチ５のポジション５５が指定され、ロードスイッチ６が押下されると、通信条件の配信であるので、宛先アドレスは、全てのスレーブ無線機１７１〜１７４を示すアドレスが格納され、送信元アドレスはマスター無線機１のアドレスが格納され、データ種９４には、通信条件情報９４２が格納され、データ９５には設定された通信条件の情報９５２が格納される。同様に、通信条件セレクトスイッチ５のポジション５６が指定されロードスイッチ６が押下されると、通信条件の切換え命令であるので、宛先アドレスは、全てのスレーブ無線機１７１〜１７４を示すアドレスが格納され、送信元アドレスはマスター無線機１のアドレスが格納され、データ種９４には、通信条件切換命令９４４が格納され、データ９５は空き領域となる。
【００２２】
図４において、伝送フォーマット生成部９により生成された切換え通信条件の情報は、ＲＦ部１４で設定された通信条件に従ったデータレートにされ、変調され、通信モードに従って暗号化され、設定されたチャンネルの帯域を利用して設定された送信電力でアンテナ２１から送信される（ステップ１１４）。
【００２３】
マスター無線機１から送信された切換え通信条件の情報は、複数のスレーブ無線機１７１〜１７４内のＲＦ部１４により受信される（ステップ１１５）。複数のスレーブ無線機１７１〜１７４の各々は、伝送信号判別部１０が受信されたデータの宛先アドレス９２に自局宛てのアドレスが格納されているか否かを判別する（ステップ１１５５）。自局宛てでなければ、受信データを廃棄する。自局宛てであれば、伝送信号判別部１０は、データ種９４の情報を判別し、通信条件情報９４２、通信条件切換命令９４４もしくは通常のデータ９４１であるかを判定する。通信条件情報９４２であった場合、伝送信号判別部１０は、データ９５に格納されている通信条件情報を切換用通信条件記憶部１２に格納し、伝送フォーマット生成部９は、通信条件切換の返信情報を生成し、マスター無線機１に対して生成したデータを返信する（ステップ１１６）。この場合、生成するデータとしては、宛先アドレスには、マスター無線機１を示すアドレスが格納され、送信元アドレスは各スレーブ無線機のアドレスが格納され、データ種９４には、通信条件切換の返信情報９４３が格納され、データ９５には格納された通信条件の情報９５２が格納される。また、伝送信号判別部１０の判別において、データ種９４の情報が通常のデータ９４１であればＲＦ部１４およびデータ入出力部２０を介して通常の無線通信を行う。
マスター無線機１では、スレーブ無線機１７１〜１７４からの通信条件切換の返信情報を受信すると、伝送信号判別部１０において受信されたデータの宛先アドレス９２に自局宛てのアドレスが格納されているか否かを判別し、自局宛てでなければ、受信データを廃棄する。自局宛てであれば、伝送信号判別部１０は、データ種９４の情報を判別し、通信条件切換の返信情報９４３もしくは通常のデータ９４１であるかを判定する。通信条件切換の返信情報９４３であった場合、整合部１３は、整合部１３に格納されている通信条件と通信条件切換の返信情報９４３とを比較整合し、一致するか否かの整合結果をディスプレイ１５に表示する（ステップ１１７）。オペレータは、ディスプレイ１５に表示された整合結果を元に通信条件を切換えるかもしくは再度通信条件を送信するかの判断を行う。その後、マスター無線機１は、オペレータの指示を受付ける（ステップ１１８）。通信条件を再送すると判断された場合に、通信条件セレクトスイッチ５がポジション５７に設定され、ロードスイッチ６が押下されると、入力制御部７はＣＰＵ１１に割込み要求し、ＣＰＵ１１は、切換用通信条件記憶部１２に記憶されている通信条件の情報を伝送フォーマット生成部９に転送し、整合部１３に通信条件の情報を格納する。伝送フォーマット生成部９は、通信条件の情報を伝送フォーマットにしたがってデータを生成し、ＲＦ部１４を介し再送先のスレーブ無線機に対して生成したデータを再送させる（ステップ１１９）。
【００２４】
また、通信条件を切換えると判断した場合には、通信条件セレクトスイッチ５のポジション５６に設定され、ロードスイッチ６が押下されると、入力制御部７はＣＰＵ１１に割込み要求し、ＣＰＵ１１は、伝送フォーマット生成部９に、通信条件を切換え命令を指示する。伝送フォーマット生成部９は、通信条件を切換え命令の情報を生成し、ＲＦ１４部を介し、複数のスレーブ無線機１７１〜１７４に生成したデータを配信し、切換用通信条件記憶部１２に記憶する通信条件の情報をモード制御部８へ転送する（ステップ１２０）。この場合、伝送フォーマット生成部９で生成するデータは、宛先アドレスには、全てのスレーブ無線機１７１〜１７４を示すアドレスが格納され、送信元アドレスはマスター無線機１のアドレスが格納され、データ種９４には、通信条件切換命令９４４が格納され、データ９５は空き領域となる。モード制御部８は、通信条件の情報に従って、マスター無線機１のＲＦ部１４の通信条件を切換える（ステップ１２１）。
【００２５】
一方、スレーブ無線機１７１〜１７４の各々は、伝送信号判別部１０が受信されたデータの宛先アドレス９２に自局宛てのアドレスが格納されているか否かを判別し、自局宛てであれば、データ種９４の情報を判別する。通信条件切換命令９４４と判別された場合、伝送信号判別部１０はＣＰＵ１１に割込み要求し、ＣＰＵ１１は、切換用通信条件記憶部１２に記憶する通信条件の情報をモード制御部８へ転送する。モード制御部８では、通信条件の情報に従ってスレーブ無線機のＲＦ部１４の通信条件を切換える（ステップ１２２）。
【００２６】
以後、マスター無線機１およびスレーブ無線機１７１〜１７４は、切換後の通信条件に従って無線通信を行う。また、切換後、無線通信が不通となった場合には、切換前の通信条件に戻すようにしてもよい。また、図４に示すフローチャートにおいては、ユーザの指示を受付けるようにしているが、あらかじめ通信条件とその切換タイミングとを記憶装置３に記憶させておき、切換タイミングに従って通信条件を切換えるように指示するプログラムを記憶しておいてもよい。例えば、１時間ごとに異なる通信条件に切換えるようにプログラムしておいてもよい。
以上のように、本実施の形態によれば、無線機の通信条件を容易に設定できる。また、無線通信により、マスター無線機が遠隔操作で複数スレーブ無線機のチャンネル、通信モード、変調方式、データレートおよび送信電力の通信条件を設定して切換ることができる。このため、通信条件設定及び切換え時のヒューマンエラーを軽減することができる。また、通信条件変更時にも、マスター無線機以外の複数スレーブ無線機を無人化できる。
【００２７】
なお、本発明は上記の実施形態に限定されるものではなく、その要旨の範囲内で数々の変形が可能である。
【００２８】
例えば、上記の実施形態では、各無線機がマスタ・スレーブの両方の機能を備えているが、マスター無線機の機能のみを備える無線機や、スレーブ無線機の機能のみを備える無線機を構成しても良い。この場合のマスター無線機は、図４に示す左側の処理を行う機能を備えていれば良い。また、スレーブ無線機は、図４に示す右側の処理を行う機能を備えていれば良い。このため、スレーブ無線機には、図２に示すタッチパネル４、通信条件セレクトスイッチ５、ロードスイッチ６、ディスプレイ１５および記憶装置３は備えなくても良い。
【００２９】
【発明の効果】
以上説明したように、本発明によれば、オペレータが複数の無線機各々に通信条件を直接入力しなくても、複数の無線機各々に通信条件が設定できる。
【図面の簡単な説明】
【図１】本発明の一実施の形態におけるマスター無線機対複数のスレーブ無線機による通信網構成図である。
【図２】本発明の一実施の形態における無線機の構成図である。
【図３】本発明の一実施の形態における伝送フォーマット生成部９に適用されるデータフォーマット例の説明図である。
【図４】本発明の一実施の形態における通信条件変更方法のフローチャート図である。
【図５】本発明の一実施の形態におけるマスター無線機１の外観図である。
【符号の説明】
１…マスター無線機
２…インタフェース部
３…記憶装置
４…タッチパネル
５…通信条件セレクトスイッチ
６…ロードスイッチ
７…入力制御部
８…モード制御部
９…伝送フォーマット生成部
１０…伝送信号判別部
１１…ＣＰＵ
１２…切換用通信条件記憶部
１３…整合部
１４…ＲＦ部
１５…ディスプレイ
１６…マスター無線機
１７…複数のスレーブ無線機
５１…基準通信条件設定（記憶装置）
５２…通信条件設定（タッチパネル）
５３…切換用通信条件設定（記憶装置）
５４…切換用通信条件設定（タッチパネル）
５５…通信条件配信
５６…通信条件切換命令
５７…通信条件再送
９１…同期信号
９２…宛先アドレス
９３…送信元アドレス
９４…データ種
９５…データ
９４１…通常データ
９４２…通信条件情報
９４３…通信条件切換の返信情報
９４４…通信条件切換命令
９５１…通常データ
９５２…通信条件の情報（チャネル、変調方式、送信電力、データレート、通信モード）。
【図１】
2004040212.tif 000003
【図２】
2004040212.tif 000004
【図３】
2004040212.tif 000005
【図４】
2004040212.tif 000006
【図５】
2004040212.tif 000007